(57)【要約】　　　（修正有）【課題】患者がＸ線撮影待ちを行う場合に、余裕をもって自分の順番が来たことを知らせ、撮影待ち時間を短縮するＸ線撮影装置、方法およびプログラムを提供する。【解決手段】Ｘ線撮影オーダー取得手段と、撮影進行監視手段とを備え、Ｘ線撮影の進行から次のオーダーの患者情報を取得し、表示あるいは発声手段で再生し、患者に順番を知らせることにより、患者の心理的な負担を軽減させるとともに、スムーズな撮影を進行させ、すべての患者の総撮影待ち時間を短縮する。【選択図】　　　　図１０
2004097636.tif 000002
【特許請求の範囲】
【請求項１】
固体撮像装置を備えたＸ線撮影装置であって、
撮影手段で撮影した画像の、現在の検査進行状況を監視する手段と、該進行状況に応じて検査オーダー記憶手段から次の検査情報を取得する手段とを備え、取得した検査を予約し、撮影とオーバーラップして次の患者に通知することを特徴とするＸ線撮影装置。
【請求項２】
発声データ記憶手段と、発声手段とを備え、検査進行させるために患者名を合成音で呼ぶことを特徴とする請求項１に記載のＸ線撮影装置。
【請求項３】
患者の撮影順序を表示する表示手段を備えることを特徴とする請求項１に記載のＸ線撮影装置。
【請求項４】
患者国籍により、合成音声データベースを切替え、発声させる制御手段を備えることを特徴とする請求項２に記載のＸ線撮影装置。
【請求項５】
現在と次の検査の患者性別を比較する手段を有し、性別が異なる場合は、呼び出しタイミングをオーバーラップさせないように制御する予約制御手段を有することを特徴とする請求項１に記載のＸ線撮影装置。
【請求項６】
前記撮影装置がＲＥＡＤＹ状態にあるとき、撮影室のドアをロックし、かつ検査室外の患者へ通知させる表示手段を有することを特徴とする請求項３に記載のＸ線撮影装置。
【請求項７】
前記検査オーダー記憶手段とは、ＲＩＳであることを特徴とする請求項１に記載のＸ線撮影装置。
【請求項８】
Ｘ線撮影進行を制御する方法であって、
撮影手段で撮影する画像の、現在の進行状況を監視する工程と、該進行状況に応じて検査オーダー記憶手段から次の検査情報を取得する工程とを備え、取得した検査を予約し、現在の撮影とオーバーラップして次の患者に通知することを特徴とするＸ線撮影進行方法。
【請求項９】
Ｘ線撮影進行を制御するプログラムであって、
撮影手段で撮影する画像の、現在の進行状況を監視させるステップと、該進行状況に応じて検査オーダー記憶手段から次の検査情報を取得させるステップとを備え、取得した検査を予約し、現在の撮影とオーバーラップして次の患者に通知させるステップをコンピュータに実行させることを特徴とするＸ線撮影進行プログラム。
【発明の詳細な説明】
【０００１】
【発明の属する技術分野】
本発明は、固体撮像装置を用いたデジタルＸ線撮影装置に関するものであり、撮影装置において検査をするために撮影順序を監視し、撮影を効率よく進行させる撮影予約装置に関する。
【０００２】
【従来の技術】
従来から医用診断を目的としたＸ線撮影には、増感紙とＸ線写真フィルムを組み合わせたフィルムスクリーンシステムが広く用いられている。Ｘ線撮影されたフィルム画像は、医師がシャウカステンに掛けて観察する。
【０００３】
大規模病院の業務には、診察室で医師が診療をするために、検査技師や放射線技師らのスタッフが実施する検査業務の結果をみて、医師の診断により治療や投薬が行われる。
【０００４】
この複数の業務連絡をコンピュータネットワークによって行うシステムとして、病院情報システム（ＨＩＳ）や、放射線情報システム（ＲＩＳ）が知られている。
【０００５】
従来、待ち行列管理装置としては、特開平７−２５３９６３号公報に記載されているものがある。この公報の発明は、病院業務の混雑状況を正確に把握できると共に、検査等に要する処理時間を予め医師らが取得することが可能なようにするものである。
【０００６】
また、特開２０００−２７０３５４号公報は、移動体通信装置を使用し、待ち行列時間を移動体通信装置へ送出することで、患者が順番待ちの時間を別の用途に使用可能にするためのものである。
【０００７】
医師は、患者を診察してＸ線撮影が必要と判断すると、依頼科から放射線科へ、ネットワークを介して検査オーダー情報を送る。
【０００８】
患者の撮影終了後、フィルム現像までの時間がかかるため、撮影フィルムの仕上がりを技師が判断し、再撮影が必要な場合に再び撮影を行う目的や、フィルム運搬の人件費を削減する目的のため、患者にフィルムを持たせて診療科へ戻らせるというワークフローを実施している病院もある。これは、病院の運営上は人件費の削減から好ましいと考えられるが、フィルムの紛失や、患者への負担を考えると、病院側の都合を優先して作られたものであり、患者のための病院システムになっておらず、患者にとっては待ち時間が長いという問題が解消されない。
【０００９】
近年、Ｘ線の強度に比例した電気信号に変換するＦＰＤ（Ｆｌａｔ　Ｐａｎｅｌ　Ｄｅｔｅｃｔｏｒ）を採用したＸ線デジタル撮影装置が使用され始めている。この撮影装置においては、撮影直後に画像を確認できるようになったので、フィルムの現像を待たずに、撮影直後に患者の動きによる撮影失敗を確認することができる。即ち、失敗した撮影オーダーの再撮影が迅速に行えるようになったため、患者、放射線技師の双方にとって待ち時間が短縮されるようになった。
【００１０】
【発明が解決しようとする課題】
しかし、患者を呼び出す方法は、技師あるいは専任のスタッフが医師からの撮影オーダーを見て、声でオーダー票を見ながら呼ぶ方法で、患者がＸ線室に入室して脱衣し、撮影準備ができるようになるまでの時間の方が撮影時間に比較して長くかかり、撮影室の有効な活用ができなかった。
【００１１】
また、医師からオーダーされた検査オーダーは、Ｘ線画像として医師のところへ戻され、診断に使用されるが、Ｘ線撮影待ちの患者に対して順番を表示し、「いつ呼ばれるんだろう」という心理的な負担を軽減させるとともに、スムーズな撮影を進行させ、すべての患者の総撮影待ち時間を短縮することを目的とする。
【００１２】
【課題を解決するための手段】
１：上記課題を解決するために、本発明のＸ線撮影装置は、撮影手段で撮影した画像の、現在の検査進行状況を監視する手段と、該進行状況に応じて検査オーダー記憶手段から次の検査情報を取得する手段とを備え、取得した検査を予約し、撮影とオーバーラップして次の患者に通知するようにしている。
【００１３】
２：本発明のＸ線撮影装置は、発声データ記憶手段と、発声手段とを備え、検査進行させるために患者名を合成音で呼ぶようにしている。
【００１４】
３：本発明のＸ線撮影装置は、患者の撮影順序を表示する表示手段を備えるようにしている。
【００１５】
４：本発明のＸ線撮影装置は、患者国籍により、合成音声データベースを切替え、発声させる制御手段を備えるようにしている。
【００１６】
５：本発明のＸ線撮影装置は、現在と次の検査の患者性別を比較する手段を有し、性別が異なる場合は、呼び出しタイミングをオーバーラップさせないように制御する予約制御手段を有するようにしている。
【００１７】
６：本発明のＸ線撮影装置は、前記撮影装置がＲＥＡＤＹ状態にあるとき、撮影室のドアをロックし、かつ検査室外の患者へ通知させる表示手段を有するようにしている。
【００１８】
７：本発明のＸ線撮影装置の前記検査オーダー記憶手段とは、ＲＩＳである。
【００１９】
８：本発明のＸ線撮影進行方法は、撮影手段で撮影する画像の、現在の進行状況を監視する工程と、該進行状況に応じて検査オーダー記憶手段から次の検査情報を取得する工程とを備え、取得した検査を予約し、現在の撮影とオーバーラップして次の患者に通知するようにしている。
【００２０】
９：本発明のＸ線撮影進行プログラムは、撮影手段で撮影する画像の、現在の進行状況を監視させるステップと、該進行状況に応じて検査オーダー記憶手段から次の検査情報を取得させるステップとを備え、取得した検査を予約し、現在の撮影とオーバーラップして次の患者に通知させるステップをコンピュータに実行させるようにしている。
【００２１】
【発明の実施の形態】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００２２】
図１は、本発明の実施形態に係る、Ｘ線画像撮影装置のシステム構成を示すブロック図である。医療用デジタルＸ線撮影装置４は、蛍光体および大画面光電変換装置を備えたＦＰＤ１と、Ｘ線発生装置２３との曝射の同期を行い、画像を蓄積する画像読取制御部３、ＣＰＵ１０、制御プログラムを格納するＲＡＭ１１、撮影画像を蓄えるハードディスク１２、ディスクインターフェース（Ｉ／Ｆ）１３、操作者とのユーザＩ／Ｆ１４、外部装置との通信用ＬＡＮ　Ｉ／Ｆ１５で構成される。
【００２３】
１０はＸ線撮影装置４において、本発明に係る制御プログラムを実行するホストＣＰＵ、１１は本発明に係る制御プログラムが記憶されるＲＡＭであり、制御プログラム６は、ハードディスク１２から読み込み、制御プログラムＲＡＭ１１上でＣＰＵ１０により動作させる。７はＲＡＭ１１上に確保した撮影画像を一時格納するためのＲＡＭである。
【００２４】
ＦＰＤ１と、画像読取制御部３とは、電源、画像転送および制御信号用のデータ線２を介して接続されている。
【００２５】
１２は、ホストＣＰＵ１０で動作する本発明のプログラムを格納するハードディスクである。またさらに、撮影済み画像を一時的に蓄える役割も兼ねる。１４は、Ｘ線撮影装置の内部バス、１５はＬＡＮ　Ｉ／Ｆで撮影オーダーを外部のオーダリング装置２２から受信したり、撮影済みの画像を診断に供するために外部機器である画像アーカイブシステム（ＰＡＣＳ）２１に送信し蓄積する。送信した画像は、医師の端末である画像ビューアー装置２０で表示し、診断に使用する。
【００２６】
１６はユーザＩ／Ｆ部で、表示用ディスプレイ装置１７、およびキーボード、マウス等の入力機器１８でＸ線撮影装置のユーザとのインターフェースを行う。もちろん、表示および入力部の１７，１８はタッチパネル装置でも代替可能である。
【００２７】
まず、患者Ａが来院し、医師が患者Ａを診察する。医師はＸ線撮影が必要と判断すると、Ｘ線撮影オーダーをオーダー装置２２からＲＩＳ端末２７へ出し、ＲＩＳ端末の検査データベース（ＤＢ）に保存する。図５は、放射線科の説明図である。患者は、Ｘ線受付５５へ行き、受付スタッフに診察カードを渡し、待合室５４で順番を待つ。受付スタッフは、診察カードをカードリーダー（図示せず）で読ませ、ＲＩＳ端末２７で管理しているオーダー装置２２からの入力と照合して、撮影待ち行列に加える。
【００２８】
撮影室５１，５２は、例えば胸部撮影室、整形外科撮影室等のように、撮影部位で分類され、その分類方法は病院の運用ルールで定められている。
【００２９】
Ｘ線検査情報は、医師からの検査オーダー情報によりＲＩＳ端末２７へ追加され、検査終了とともに検査済み状態へ更新する。検査情報は、Ｘ線撮影装置からの問い合わせに対して、夫々の撮影室へ送信する。
【００３０】
患者Ａの順番が来ると、技師室５０にいる放射線技師がマイクで患者名を呼び、撮影室５１へ入室させる。図６は、撮影室５１の拡大図である。６３はＸ線発生装置制御部、６４はＸ線管球である。６１は、撮影室のドアで、開いている状態ではＸ線照射しないように、Ｘ線発生装置６３で制御されている。６２はついたてで、患者が着替える場所である。６５はＦＰＤ撮影部で、６６はＸ線発生装置の操作部、６７はＸ線撮影装置の操作部である。
【００３１】
図示しないが、Ｘ線発生装置制御部６３とＸ線撮影装置操作部６６は接続されており、ＦＰＤ撮影部６５とＸ線撮影装置制御部６７は接続されている。Ｘ線発生装置制御部６３とＸ線撮影装置制御部６７は、前記の撮影同期信号線５で接続されている。
【００３２】
技師は患者に名前の確認をして、撮影する部位に応じて、「上半身裸になってください」と指示し、脱衣させる。
【００３３】
患者の準備ができると、技師は患者をＦＰＤ６５と管球６４の間に配置し、撮影の準備をする。技師はＸ線操作室内から曝射スイッチ６８を押し、Ｘ線照射要求をＸ線発生装置制御部に入力する。
【００３４】
Ｘ線画像撮影装置４のＣＰＵ１０は、医師からのオーダリング情報をＬＡＮ１９上のオーダー装置２２からＲＩＳ経由で受信する。本実施形態では、受信したオーダリング情報の一覧をユーザＩ／Ｆ部からディスプレイ１７に図２に示すように表示する。Ｘ線撮影装置の操作者である放射線技師が、３０に表示される検査をマウスで選択すると、ＣＰＵ１０が実行する制御プログラム６は図３に示すように、ディスプレイ１７に表示する画面を変化させ、詳細の撮影オーダー情報を表示する。
【００３５】
図３は、本発明の実施形態におけるディスプレイ部１７の表示例を示す図である。ＣＰＵ１０は、３０で選択された患者を操作者に提示するため、３４には患者情報、例えば患者ＩＤ、氏名、生年月日等を表示する。また、３１にオーダー装置２２から受信した撮影部位で構成される撮影オーダーを表示する。３２は、前述の撮影部位を表すボタンが記憶している撮影条件である。３５は、撮影装置の状態を表示するのに使用する。
【００３６】
ＣＰＵ１０は撮影作業に入り、３１に示すオーダリング情報１番目の撮影部位である「胸部正面」ボタンを選択状態にする。操作者は、撮影する患者をＦＰＤ１とＸ線管球２４との間に配置し、撮影姿勢に整位する。その間にシステム制御プログラム６によりＣＰＵ１０はＦＰＤ１に電圧を加え、ＦＰＤでＸ線撮影が行えるように準備する。ＦＰＤ１がＸ線撮影可能な状態になるのを検知すると、制御プログラム６は、３５をＲＥＡＤＹと表示する。
【００３７】
操作者は画面を確認後、曝射スイッチ２５を押し、Ｘ線を発生させるトリガーをシステムに入力する。この曝射スイッチ２５より発生する曝射信号は、同期信号線５を介して画像読取制御部３へ入力される。画像読取制御部３では、ＦＰＤが撮影可能状態となっているかを制御信号２の状態で確認した後、曝射許可信号を５で発生させる。曝射許可信号５は、Ｘ線発生装置制御部２３へ戻され、Ｘ線発生装置制御部２３はＸ線管球２４からＸ線を発生させる。
【００３８】
Ｘ線照射後、患者を透過したＸ線を、蛍光体を介してＦＰＤ１でデジタルデータとして取得し、画像読取部３へ転送する。次にＣＰＵ１０は、制御プログラム６を実行し、ユーザＩ／Ｆ部の画面を図４のように変化させる。
【００３９】
ＣＰＵ１０が実行するプログラム６は、画像読取制御部３から取得した画像データをＲＡＭ７に格納し、４０に表示する。ＣＰＵ１０は撮影実施情報として、Ｘ線発生装置制御部２３から線量値４ｍＡｓを受信し、ユーザＩ／Ｆ上の４１に表示するとともに、ハードディスク１２に記憶する。
【００４０】
４２には、濃度調整パラメータの例を示す。４０に表示される画像の自動濃度調整に問題がある場合、操作者は４２を調節することで撮影画像の濃度を変更できる。
【００４１】
操作者は図４に示す画面で撮影済み画像の確認を終えると、次の撮影を行うために、画面上の「次撮影」ボタン４３を押して、図３に示す画面へ戻る。ユーザＩ／Ｆ部１６では、オーダーされた次の撮影部位を選択し、撮影オーダーすべてが完了するまで、操作者に前述と同様の撮影フローを繰り返し実行させる。
【００４２】
撮影オーダーがすべて完了すると次の撮影が存在しないので、ＣＰＵ１０は４３に示すボタンを「検査終了」に変化させる。操作者がボタン４３を押す事でその患者の検査を終了することができる。
【００４３】
検査が終了すると、制御プログラム６はハードディスク１２に記憶した撮影条件、撮影実施情報を、オーダリング装置２２へ送信する。制御プログラム６は、予め決められた通信プロトコルに従い、オーダリング装置２２へ検査の撮影が終了したことを伝える。この際、撮影が行われた撮影条件と、照射線量等の撮影実施情報を伝える。
【００４４】
また撮影済み画像は、前述の撮影条件や撮影実施情報を付帯情報とした画像データをＤＩＣＯＭと呼ばれる医療用の標準通信プロトコルに従って、外部のＰＡＣＳ２１へまとめて出力する。医師は、画像ビューアー装置２０を使用してＰＡＣＳ２１から診断画像を呼び出し、診断に使用する。
【００４５】
図７に、従来例の患者と技師の動作を示す。まず、技師が患者を呼び出し（Ｓ１０１）、入室した患者に名前を確認する（Ｓ１０２）。次に、撮影部位に応じて技師が患者に脱衣指示を出し（Ｓ１０３）、準備ができると患者を整位させ、撮影を行う（Ｓ１０４）。検査オーダーが続く場合、整位と撮影を繰り返し（Ｓ１０５）、終了すると、患者に着衣させ（Ｓ１０６）、撮影室から退室したら（Ｓ１０７）、次の撮影オーダーを決定し、呼び出しを行う（Ｓ１０８）。以降は、Ｓ１０１と同様の繰り返しである。
【００４６】
以上のようにオーダリング情報に従って画像を撮影する方法を示したが、検査の目的は、医師が指定した撮影部位の画像を取得することである。しかしながら、撮影は一度で成功しないことが有る。その多くの原因は患者の動きによる画像のぶれであり、診断上使用できない、いわゆる写損画像が生じることがある。
【００４７】
その場合、操作者は問題画像の再撮影を行うが、従来のフィルムスクリーンシステムでは、フィルムの現像が終わるまで、数分間そのままで患者を待たせておいたり、フィルムを患者に持たせて診療科へ戻すような業務フローになっている病院では、着衣後にフィルムを確認したら、写損画像であったために、退室してフィルムの仕上がりを待っていた患者が、再び待ち行列の先頭に戻され、入室後に脱衣させて再撮影を行う等、撮影室の使用においてムダが多く、他の患者の待ち時間にも影響していた。
【００４８】
一方、ＦＰＤを使用した撮影装置においては、撮影直後にディスプレイ装置で撮影画像が数秒で確認できるため、再撮影が必要かどうかをすぐに判断でき、すべての撮影が終了したら、診断用画像をＰＡＣＳ２１へ送信し、診療科のビューアー装置２０で診断できる。ゆえに、患者は、退室後すぐに依頼科へ手ぶらで戻ることができる。
【００４９】
その後、技師あるいは看護士の専任スタッフが、次の検査オーダーを見て、患者をマイクで呼び、患者が入室して、患者名を確認後、脱衣後に撮影を開始する。この場合、専任の呼出スタッフを常駐させても、大病院のように複数の撮影室がある場合は、複数の撮影室を受け持たなければならないので管理が行き届かず、呼び出しタイミングが重なってしまったり、呼び出した患者が離れていたりして、撮影順序を組替えて効率よく業務を進行させることは困難であった。
【００５０】
そこで、次の検査オーダーをプログラムによりＣＰＵが決定し、患者情報を取得する説明を図８と図９で行う。ＣＰＵが音声発生手段を用いて合成音声により、図９の表示装置７２に付属する音声再生装置で患者名を再生し、表示装置７２に患者名を表示する。つまり、待合室５４に患者呼び出し用の表示装置を設け、検査オーダーの中から決定した複数検査の患者ＩＤと患者名を呼び出し順に表示する。このことにより、撮影待ちの順番がわからないという問題を解消できる。
【００５１】
また、例えば、１回呼んでも入室しない場合は、タイマーによって３０秒後に繰り返し、更に３０秒後に入室しないときは、呼び出し済みマークを付加して待ち行列の後ろに戻し、次の患者を呼び出すように制御する。
【００５２】
さらに撮影室の使用効率を向上させるため、次の検査オーダーを決定するタイミングをコンピュータプログラムにより早めて、現在の検査が終了した患者の着衣と、次の患者の脱衣をオーバーラップして行うと、撮影室の使用効率を上げることができる。前記の次検査オーダー取得までの１枚という枚数は、設定可能なパラメータとして設定しておく。
【００５３】
図８はＦＰＤを使用したシステムで、撮影予約処理を実行した場合の説明図である。現在の患者の撮影が残り１枚になった時に、ＣＰＵ１０が次の検査取得と患者呼び出しを実施する。まず、ＣＰＵが合成音により患者Ｂを呼び出し（Ｓ１１１）、入室した患者に名前を確認するための表示をついたて７４に付属する表示装置に表示させる（Ｓ１１２）。次に、撮影部位に応じて患者Ｂに脱衣指示を出す表示をし（Ｓ１１３）、患者Ｂの検査準備ができるまで待たせる。前の患者Ａが撮影室出口７１から退室すると、すでに次の患者Ｂの検査が選択されているので、技師は図２の検査オーダー表を見ることなく、ＣＰＵ１０がディスプレイ１７に表示する図３の撮影画面を見る。技師は、患者Ｂに名前を再確認した後、患者を整位させ、撮影を行う（Ｓ１１４）。検査オーダーが続く場合、整位と撮影を繰り返し（Ｓ１１５）、終了すると、技師は患者に着衣させ（Ｓ１１６）退室しても良い旨を伝える。患者Ｂは、着衣したら撮影室から退室する（Ｓ１１７）。これに先立って、検査配送部は、撮影部からの予約処理を受信し、次の撮影オーダーを決定し、患者Ｃの呼び出しを開始する（Ｓ１２１）。
【００５４】
以降は、Ｓ１１１と同様の繰り返しであるが、Ｘ線曝射待ち状態かつ、Ｘ線撮影装置がＲＥＡＤＹ中には、Ｘ線撮影装置のＣＰＵ１０が撮影室の入口ドア７３に付属する電磁ロックソレノイドに通電してドアロックをするとともに、表示装置７２に「ただいま撮影中です。入室できません」と表示させる。
【００５５】
撮影が終了すると、ＣＰＵ１０はロック解除し、表示装置７２に「入室可能です」と表示し、次の患者が入室可能にする。
【００５６】
次検査の患者性別が、現在の患者性別と異なる場合、前述の着衣と脱衣のオーバーラップに問題があるため、ＣＰＵ８０は、撮影予約を遅らせるように制御する。
【００５７】
また、患者が日本国籍ではない場合、スタッフには患者名を発音しにくい上、患者も聞き取れないで検査進行が滞るという問題があったが、ＣＰＵ１０が患者情報の国籍情報に従って発音ＤＢを切替え、患者名をＣＰＵが音声合成し、発声することができる。また、表示装置７２に患者名を表示することで、患者が自分の名前を確認することもできる。
【００５８】
図１０に、予約呼び出し制御をＣＰＵ１０が自動的に行う手順を示す。
【００５９】
医師からの撮影オーダーを、撮影部８３のＣＰＵ１０がＲＩＳ８１に問い合わせ、ＤＢで構成する記憶部８２に格納する。例えば、撮影オーダーが「胸部正面」について撮影をする。撮影部８３の撮影オーダーが残り１枚になったら、撮影部８３のＣＰＵ１０がＲＡＭ６に格納している予約プログラムにより、ＲＩＳに対して配送要求を出す。次に、ＣＰＵ１０が記憶装置８２から検査オーダーを取得し、撮影室８３が胸部撮影室なので、次に実行する胸部検査を選択する。続いてＣＰＵ１０は、表示部８４へ患者ＩＤおよび患者名を表示させ、発声部８５で患者名を合成して呼び出す。
【００６０】
操作者が胸部正面の撮影を実行し、１枚目の撮影画像を確認して、保存する。この時点で、撮影部８３は残り枚数を計算し、次の検査オーダーを予約すべきタイミングになると、ＲＩＳ８１から検査情報を取得する。
【００６１】
図１１に、予約呼び出しする制御をＣＰＵ１０が自動的に行うフローチャートを示す。
【００６２】
ステップＳ２０１でＲＩＳから撮影オーダーを取得し、ステップＳ２０２で残り枚数を計算する。ステップＳ２０３で残り枚数が、予め設定されたｎ枚以下だった場合、ステップＳ２１０で本発明の呼び出し予約処理、すなわち次の患者を取得し、患者名を廊下の表示装置に表示し、かつ音声合成して患者名を呼び出し、続いてステップＳ２０４へ進む。ステップＳ２０３で判断がＮだった場合も、ステップＳ２０４へ進み、Ｘ線撮影装置をＲＥＡＤＹにする。操作者がＸ線撮影を実施すると、前述したＸ線発生装置とＸ線撮影装置が同期処理をステップ２０５で行い、画像取得する。ステップＳ２０６で操作者が画像確認を行い、最後の画像の場合、ステップＳ２０７がＮになり、撮影フローを終了する。残り枚数＞０の場合、Ｓ２０７の判断がＹになり、Ｓ２０１に戻る。ステップＳ２０７の判断には、操作者が再撮影を指示する場合を含む。
【００６３】
上記実施形態においては、制御プログラムをＨＤに記憶しＲＡＭへ転送し、ＣＰＵで実行する場合について説明したが、これに限定されるものではなく、任意の記憶媒体を用いて実現してもよい。また、同様の動作をする回路で実現してもよい。
【００６４】
なお、本発明は、複数の機器から構成されるシステムに適用しても、１つの機器からなる装置に適用してもよい。前述した実施形態の機能を実現するソフトウェアのプログラムコードを記録した記録媒体を、システム或いは装置に供給し、そのシステム或いは装置のコンピュータ（またはＣＰＵ）が記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。
【００６５】
プログラムコードを供給するための記録媒体としては、例えば、フロッピー（登録商標）ディスク、ハードディスク、光ディスク、光磁気ディスク、ＣＤーＲＯＭ、ＣＤーＲ、磁気テープ、不揮発性のメモリカード、ＲＯＭなどを用いることができる。
【００６６】
また、コンピュータが読み出したプログラムコードを実行することにより、前述した実施形態の機能が実現されるだけでなく、そのプログラムコードの指示に基づき、コンピュータ上で稼働しているＯＳなどが実際の処理の一部または全部を行い、その処理によって前述した実施形態の機能が実現される場合も含まれることは言うまでもない。
【００６７】
更に、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００６８】
なお本発明は、前述した実施形態の機能を実現するソフトウェアのプログラムコードを記録した記憶媒体から、そのプログラムをインターネット等の通信ラインを介して要求者にそのプログラムを配信する場合にも適用可能である。
【００６９】
【発明の効果】
以上説明したように本発明によれば、病院でのワークフローを改善し、呼び出しスタッフにかかる人件費を削減するとともに、撮影室の使用効率を向上させるよう、撮影業務を進行させることができ、その結果、患者の待ち時間を削減することができる。
【００７０】
また技師が、撮影終了後に現像待ちをせずに撮影画像のチェックが可能なので、フィルムの出来上がりを待たずに、患者を診療科へ戻すことができる。撮影した画像をネットワーク経由で依頼科の医師の元へ届けられるようになっているので、フィルムを患者や病院スタッフに運ばせることによる紛失などの事故が回避できる。
【００７１】
さらに表示装置を設けることによって、患者にとってもいつ呼ばれるか分からないという心理的負担をなくし、安心感を与えることができる。
【図面の簡単な説明】
【図１】Ｘ線画像撮影システムの構成を示すブロック図である。
【図２】本発明の実施形態における表示部の撮影オーダー一覧表示例を示す図である。
【図３】表示部の撮影画面例を示す図である。
【図４】表示部の撮影後の状態を示す図である。
【図５】放射線科の配置例を示す図である。
【図６】従来の撮影室の説明図である。
【図７】従来の撮影手順の説明図である。
【図８】本発明の撮影手順の説明図である。
【図９】本発明の撮影室の説明図である。
【図１０】撮影予約によるシステム構成を示すブロック図である。
【図１１】撮影予約のフローチャートである。
【符号の説明】
１　ＦＰＤ
２　制御信号線
３　画像読取制御部
４　Ｘ線撮影装置
５　曝射信号
６　制御プログラムＲＡＭ
７　画像格納用ＲＡＭ
１０　ＣＰＵ
１１　ＲＡＭ
１２　ハードディスク
１３　ディスクＩ／Ｆ
１５　ＬＡＮ　Ｉ／Ｆ
１６　ユーザＩ／Ｆ
１７　ディスプレイ装置
１８　入力装置
１９　ＬＡＮ
２０　画像ビューアー装置
２１　ＰＡＣＳ
２２　オーダリング装置
２３　Ｘ線発生装置制御部
２４　Ｘ線管球
２５　曝射スイッチ
２６　ＲＩＳ
２７　ＲＩＳ端末
３０　検査オーダー表示部
３１　撮影オーダー表示部
３２　撮影条件表示部
３３　撮影画像済み画像呼出ボタン
３４　患者情報表示部
３５　メッセージ表示部
３６　撮影終了指示ボタン
４０　撮影画像表示部
４１　撮影実施情報表示部
４２　画像処理パラメータ
４３　次撮影指示ボタン
５５　検査受付
８１　ＲＩＳ
８２　記憶部
８３　撮影部
８４　表示部
８５　発声部
【図１】
2004097636.tif 000003
【図２】
2004097636.tif 000004
【図３】
2004097636.tif 000005
【図４】
2004097636.tif 000006
【図５】
2004097636.tif 000007
【図６】
2004097636.tif 000008
【図７】
2004097636.tif 000009
【図８】
2004097636.tif 000010
【図９】
2004097636.tif 000011
【図１０】
2004097636.tif 000012
【図１１】
2004097636.tif 000013